【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
近隣認識ネットワーク（ＮＡＮ）において通信する方法であって、
ＮＡＮビーコンを、アクセスポイント（ＡＰ）を介して生成することと、前記ＮＡＮビーコンは、前記ＮＡＮのためのタイミング情報を含み、前記タイミング情報は、１つまたは複数の発見クエリメッセージが前記ＮＡＮ内で送信されることができる第１の時間間隔を示し、前記１つまたは複数の発見クエリメッセージの各々は、１つまたは複数のサービスを要求する、
前記ＮＡＮビーコンを送信することと、
前記第１の時間間隔の間に、１つまたは複数のサービスを要求する第１の発見クエリを受信することと、
前記ＮＡＮに前記第１の発見クエリを、後続で送信することと
を備える、方法。
【請求項２】
前記第１の時間間隔の間に１つまたは複数のサービスを要求する第２の発見クエリを受信することと、
前記第１および第２の発見クエリをアグリゲートすることと、
をさらに備え、
前記第１の発見クエリの前記後続の送信は、前記アグリゲートされた第１および第２の発見クエリを送信する、
請求項１に記載の方法。
【請求項３】
前記要求されたサービスのクラスは、周囲のサウンドである、
請求項１に記載の方法。
【請求項４】
前記ＮＡＮビーコンは、ＮＡＮ基本サービスセット識別子（ＢＳＳＩＤ）を含む、
請求項１に記載の方法。
【請求項５】
前記ＮＡＮビーコンは、同期情報を備える、
請求項１に記載の方法。
【請求項６】
前記送信された第１の発見クエリに対する応答は、第２の時間間隔の間に受信される、
請求項１に記載の方法。
【請求項７】
各発見クエリメッセージは、音楽、周囲のサウンド、周囲の光、湿度、および非常警報器センサのうちの１つを示すサービスのクラスのための要求を含む、
請求項１に記載の方法。
【請求項８】
前記第２の時間間隔は、発見クエリ応答ウィンドウである、
請求項６に記載の方法。
【請求項９】
前記第１の時間間隔は、前記第２の時間間隔と時間において重複する、
請求項６に記載の方法。
【請求項１０】
前記第１の時間間隔は、前記第２の時間間隔と時間において隣接する、
請求項６に記載の方法。
【請求項１１】
近隣認識ネットワーク（ＮＡＮ）において通信する装置であって、
ＮＡＮビーコンを、アクセスポイント（ＡＰ）を介して生成することを行うように構成されたプロセッサと、前記ＮＡＮビーコンは、前記ＮＡＮのためのタイミング情報を含み、前記タイミング情報は、１つまたは複数の発見クエリメッセージが前記ＮＡＮ内で送信されることができる第１の時間間隔を示す、
前記近隣認識ネットワーク上で前記ＮＡＮビーコンを送信することを行うように構成された送信機と、
前記第１の時間間隔の間に、１つまたは複数のサービスを要求する第１の発見クエリを受信することを行うように構成された受信機と
を備え、
前記送信機は、前記ＮＡＮに前記第１の発見クエリを、後続で送信することを行うようにさらに構成される、装置。
【請求項１２】
前記受信機は、１つまたは複数のサービスを要求する第２の発見クエリを受信することを行うようにさらに構成され、前記プロセッサは、前記第１および第２の発見クエリをアグリゲートすることを行うように構成され、前記送信機は、前記第１の発見クエリの前記後続の送信の一部として、前記アグリゲートされた第１および第２の発見クエリを送信することを行うように構成される、
請求項１１に記載の装置。
【請求項１３】
前記１つまたは複数のサービスのうちの１つは、周囲のサウンドである、
請求項１１に記載の装置。
【請求項１４】
前記ＮＡＮビーコンは、ＮＡＮ基本サービスセット識別子（ＢＳＳＩＤ）を含む、
請求項１１に記載の装置。
【請求項１５】
前記ＮＡＮビーコンは、同期情報を備える、
請求項１１に記載の装置。
【請求項１６】
前記送信された第１の発見クエリに対する応答は、第２の時間間隔の間に受信される、
請求項１１に記載の装置。
【請求項１７】
前記第２の時間間隔は、発見クエリ応答ウィンドウである、
請求項１６に記載の装置。
【請求項１８】
前記第１の時間間隔は、前記第２の時間間隔と時間において重複する、
請求項１６に記載の装置。
【請求項１９】
前記第１の時間間隔は、前記第２の時間間隔と時間において隣接する、
請求項１６に記載の装置。
【請求項２０】
前記第１の時間間隔は、前記第２の時間間隔から時間において間隔をあけられる、
請求項１６に記載の装置。
【請求項２１】
近隣認識ネットワーク（ＮＡＮ）において通信する装置であって、
ＮＡＮビーコンを、アクセスポイント（ＡＰ）を介して生成するための手段と、前記ＮＡＮビーコンは、前記ＮＡＮのためのタイミング情報を含み、前記タイミング情報は、１つまたは複数の発見クエリメッセージが前記ＮＡＮ内で送信されることができる第１の時間間隔を示す、
前記ＮＡＮビーコンを送信するための手段と、
前記第１の時間間隔の間に、１つまたは複数のサービスを要求する第１の発見クエリを受信するための手段と
を備え、
前記送信するための手段は、前記ＮＡＮに前記第１の発見クエリを、後続で送信することを行うようにさらに構成される、装置。
【請求項２２】
前記受信するための手段は、１つまたは複数のサービスを要求する第２の発見クエリを受信するようにさらに構成され、前記処理するための手段は、前記第１および第２の発見クエリをアグリゲートするように構成され、前記送信するための手段は、前記第１の発見クエリの前記後続の送信の一部として、前記アグリゲートされたクエリを送信するように構成される、
請求項２１に記載の装置。
【請求項２３】
実行すると、プロセッサに、近隣認識ネットワーク（ＮＡＮ）において通信する方法を実行させる命令を備える非一時的なコンピュータ可読記憶媒体であって、前記方法は、
ＮＡＮビーコンを、アクセスポイント（ＡＰ）を介して生成することと、前記ＮＡＮビーコンは、前記ＮＡＮのためのタイミング情報を含み、前記タイミング情報は、１つまたは複数の発見クエリメッセージが前記ＮＡＮ内で送信されることができる第１の時間間隔を示す、
前記ＮＡＮビーコンを送信することと、
前記第１の時間間隔の間に、１つまたは複数のサービスを要求する発見クエリを受信することと、
前記ＮＡＮに前記発見クエリを、後続で送信することと
を備える、非一時的なコンピュータ可読記憶媒体。
【手続補正２】
【補正対象書類名】明細書
【補正対象項目名】０１０３
【補正方法】変更
【補正の内容】
【０１０３】
[0114]同様に、動作は特定の順序で図面に示されているが、これは、望ましい結果を達成するために、そのような動作が、示される特定の順序でもしくは順番に実行されることを、またはすべての図示の動作が実行されることを必要とするものとして理解されるべきでない。いくつかの状況では、マルチタスキングおよび並列処理が有利であり得る。その上、上記で説明した実装形態における様々なシステム構成要素の分離は、すべての実装形態においてそのような分離を必要とするものとして理解されるべきでなく、説明するプログラム構成要素およびシステムは、概して、単一のソフトウェア製品において互いに一体化されるか、または複数のソフトウェア製品にパッケージングされることができることを理解されたい。さらに、他の実装形態が以下の特許請求の範囲内に入る。いくつかの場合では、特許請求の範囲に記載の行為は、異なる順序で実行され、依然として望ましい結果を達成することができる。
以下に本願の出願当初の特許請求の範囲に記載された発明を付記する。
［Ｃ１］
近隣認識ネットワーク（ＮＡＮ）において通信する方法であって、
ＮＡＮビーコンを、アクセスポイント（ＡＰ）を介して生成することと、前記ＮＡＮビーコンは、前記ＮＡＮのためのタイミング情報を含み、前記タイミング情報は、１つまたは複数のメッセージが前記ＮＡＮ内で送信されるときに第１の時間間隔を示す、
前記ＮＡＮビーコンを送信することと
を備える、方法。
［Ｃ２］
前記第１の時間間隔の間に発見クエリを受信することと、
前記ＮＡＮに前記発見クエリを送信することと
をさらに備える、Ｃ１に記載の方法。
［Ｃ３］
前記第１の時間間隔の間に別の発見クエリを受信することと、
前記受信されたクエリをアグリゲートすることと、
前記アグリゲートされたクエリを送信することと
をさらに備える、Ｃ２に記載の方法。
［Ｃ４］
前記発見クエリは、１つまたは複数のサービスのための要求をさらに含む、Ｃ２に記載の方法。
［Ｃ５］
前記要求されたサービスのクラスは、周囲のサウンドである、
Ｃ４に記載の方法。
［Ｃ６］
前記第１の時間間隔は、発見クエリウィンドウである、
Ｃ１に記載の方法。
［Ｃ７］
前記ＮＡＮビーコンは、ＮＡＮ基本サービスセット識別子（ＢＳＳＩＤ）を含む、Ｃ１に記載の方法。
［Ｃ８］
前記ＮＡＮビーコンは、同期情報を備える、
Ｃ１に記載の方法。
［Ｃ９］
前記送信された発見クエリに対する応答は、第２の時間間隔の間に受信される、Ｃ２に記載の方法。
［Ｃ１０］
前記第２の時間間隔は、発見クエリ応答ウィンドウである、
Ｃ９に記載の方法。
［Ｃ１１］
前記第１の時間間隔は、前記第２の時間間隔と時間において重複する、
Ｃ９に記載の方法。
［Ｃ１２］
前記第１の時間間隔は、前記第２の時間間隔と時間において隣接する、
Ｃ９に記載の方法。
［Ｃ１３］
近隣認識ネットワーク（ＮＡＮ）において通信する装置であって、
ＮＡＮビーコンを、アクセスポイント（ＡＰ）を介して生成することを行うように構成されたプロセッサと、前記ＮＡＮビーコンは、前記ＮＡＮのためのタイミング情報を含み、前記タイミング情報は、１つまたは複数のメッセージが前記ＮＡＮ内で送信されるときに第１の時間間隔を示す、
前記ＮＡＮビーコンを送信することを行うように構成された送信機と
を備える、装置。
［Ｃ１４］
前記第１の時間間隔の間に発見クエリを受信することを行うように構成された受信機をさらに備え、前記送信機は、前記ＮＡＮに前記発見クエリを送信することを行うようにさらに構成される、
Ｃ１３に記載の装置。
［Ｃ１５］
前記受信機は、前記第１の時間間隔の間に別の発見クエリを受信することを行うようにさらに構成され、前記プロセッサは、前記受信されたクエリをアグリゲートすることを行うようにさらに構成され、前記送信機は、前記アグリゲートされたクエリを送信することを行うようにさらに構成される、
Ｃ１４に記載の装置。
［Ｃ１６］
前記発見クエリは、１つまたは複数のサービスのための要求をさらに含む、Ｃ１４に記載の装置。
［Ｃ１７］
前記要求されたサービスのクラスは、周囲のサウンドである、
Ｃ１６に記載の装置。
［Ｃ１８］
前記第１の時間間隔は、発見クエリウィンドウである、
Ｃ１３に記載の装置。
［Ｃ１９］
前記ＮＡＮビーコンは、ＮＡＮ基本サービスセット識別子（ＢＳＳＩＤ）を含む、Ｃ１３に記載の装置。
［Ｃ２０］
前記ＮＡＮビーコンは、同期情報を備える、
Ｃ１３に記載の装置。
［Ｃ２１］
前記送信された発見クエリに対する応答は、第２の時間間隔の間に受信される、Ｃ１４に記載の装置。
［Ｃ２２］
前記第２の時間間隔は、発見クエリ応答ウィンドウである、
Ｃ２１に記載の装置。
［Ｃ２３］
前記第１の時間間隔は、前記第２の時間間隔と時間において重複する、
Ｃ２１に記載の装置。
［Ｃ２４］
前記第１の時間間隔は、前記第２の時間間隔と時間において隣接する、
Ｃ２１に記載の装置。
［Ｃ２５］
前記第１の時間間隔は、前記第２の時間間隔から時間において間隔をあけられる、Ｃ２１に記載の装置。
［Ｃ２６］
近隣認識ネットワーク（ＮＡＮ）において通信する装置であって、
ＮＡＮビーコンを、アクセスポイント（ＡＰ）を介して生成するための手段と、前記ＮＡＮビーコンは、前記ＮＡＮのためのタイミング情報を含み、前記タイミング情報は、１つまたは複数のメッセージが前記ＮＡＮ内で送信されるときに第１の時間間隔を示す、
前記ＮＡＮビーコンを送信するための手段と
を備える、装置。
［Ｃ２７］
前記第１の時間間隔の間に発見クエリを受信するための手段をさらに備え、前記送信するための手段は、前記ＮＡＮに前記発見クエリを送信するようにさらに構成される、Ｃ２６に記載の装置。
［Ｃ２８］
前記受信するための手段は、別の発見クエリを受信するようにさらに構成され、前記処理するための手段は、前記受信されたクエリをアグリゲートするように構成され、前記送信するための手段は、前記アグリゲートされたクエリを送信するように構成される、Ｃ２７に記載の装置。
［Ｃ２９］
実行すると、プロセッサに、近隣認識ネットワーク（ＮＡＮ）において通信する方法を実行させる命令を備えるコンピュータ可読記憶媒体であって、前記方法は、
ＮＡＮビーコンを、アクセスポイント（ＡＰ）を介して生成することと、前記ＮＡＮビーコンは、前記ＮＡＮのためのタイミング情報を含み、前記タイミング情報は、１つまたは複数のメッセージが前記ＮＡＮ内で送信されるときに第１の時間間隔を示す、
前記ＮＡＮビーコンを送信することと
を備える、コンピュータ可読記憶媒体。
［Ｃ３０］
前記第１の時間間隔の間に発見クエリを受信することと、
前記ＮＡＮに前記発見クエリを送信することと
をさらに備える、Ｃ２９に記載のコンピュータ可読記憶媒体。